(57)【要約】【課題】子供用安全シートの背もたれとヘッドレストの設定状態を、ハーネス装着の有無で異ならせて、子供用安全シートの誤用を未然に防止すること。【解決手段】背もたれ（３）と；前記背もたれに対して移動可能なヘッドレスト（４）と；  着座者を拘束する着脱自在のハーネスと；を備える子供用安全シートであって、前記ハーネスを取り付けたときは、前記ヘッドレスト（４）が前記背もたれ（３）に対して第１の範囲で移動可能となり、前記ハーネスが取り外したときは、前記ヘッドレストが前記背もたれに対して第２の範囲で移動可能となるように、前記ヘッドレストを前記背もたれに係合させた子供用安全シート。【選択図】図２
2009502595.tif 000002
【特許請求の範囲】
【請求項１】
背もたれと；
前記背もたれに対して移動可能なヘッドレストと；
着座者を拘束する着脱自在のハーネスと；
を備える子供用安全シートであって、
前記ハーネスを取り付けたときは、前記ヘッドレストが前記背もたれに対して
第１の範囲で移動可能となり、前記ハーネスが取り外したときは、前記ヘッドレストが前記背もたれに対して第２の範囲で移動可能となるように、前記ヘッドレストを前記背もたれに係合させたことを特徴とする子供用安全シート。
【請求項２】
前記ヘッドレスト及び前記背もたれを連結するための連結構成部品をさらに備え、該連結構成部品が、前記ヘッドレスト及び前記背もたれの双方に対して移動可能である請求項１記載の子供用安全シート。
【請求項３】
前記第１の範囲では、前記ヘッドレストの移動が前記連結構成部品の移動に依存し、前記第２の範囲では、前記ヘッドレストの移動が前記連結構成部品の移動に依存しない請求項２記載の子供用安全シート。
【請求項４】
前記連結構成部品及び前記ヘッドレストに、前記ハーネスのストラップを装着する、スロットが形成されている請求項２又は３記載の子供用安全シート。
【請求項５】
前記第１の範囲においては、前記連結構成部品の前記スロットと前記ヘッドレストの前記スロットとが整列して前記ハーネスが前記シートに装着可能となり、前記第２の範囲においては、前記連結構成部品の前記スロットと前記ヘッドレストの前記スロットとが整列せず、前記ハーネスが前記シートに装着不能となる請求項４に記載の子供用安全シート。
【請求項６】
前記背もたれが、前記連結構成部品を装着するための、空隙を備える請求項２乃至５のいずれか１項に記載の子供用安全シート。
【請求項７】
前記連結構成部品を前記背もたれに対して複数の位置に設定できる第１の手段を備える請求項２乃至６のいずれか１項に記載の子供用安全シート。
【請求項８】
前記第１の手段が、前記背もたれに設けた、垂直方向に整列した、複数のノッチと、前記連結構成部品に装着した、前記ノッチに係合する、戻り止めと、からなる請求項７記載の子供用安全シート。
【請求項９】
前記戻り止めを押圧して前記背もたれと前記ノッチを係合させる弾性手段を設けた請求項８に記載の子供用安全シート。
【請求項１０】
前記弾性手段がバネである請求項９記載の子供用安全シート。
【請求項１１】
前記ヘッドレストの、前記連結構成部品に対する、複数の垂直方向位置を設定できる第２の手段を備える請求項２乃至１０のいずれか１項に記載の子供用安全シート。
【請求項１２】
前記第２の手段が、前記連結構成部品に設けた、垂直方向に整列した、複数のノッチと、前記ヘッドレストに設けた、前記ノッチと係合する、弾性部材とからなる請求項１１記載の子供用安全シート。
【請求項１３】
前記ヘッドレストに設けた前記弾性部材が、前記連結構成部品の前記ノッチと係合する、少なくとも１つの突起を備える請求項１２記載の子供用安全シート。
【請求項１４】
前記弾性部材を前記ノッチと係合させるために、前記弾性部材を押圧する作動手段を設けた請求項１２又は１３記載の子供用安全シート。
【請求項１５】
前記作動手段が、前記ヘッドレストの一部を形成するレバーである、請求項１４記載の子供用安全シート。
【請求項１６】
前記レバーには操作用のハンドルを備え、該ハンドルを前記ヘッドレストに摺動自在に配置し、前記ハンドルの操作により、
前記レバーが前記ヘッドレストの前記弾性部材を押圧して偏倚させて、前記弾性部材を前記連結構成部品の前記ノッチと係合させ、また、
前記レバーが前記ヘッドレストの前記弾性部材から離れると、前記ヘッドレストと前記連結構成部品との相対的移動が可能となる、請求項１５記載の子供用安全シート。
【請求項１７】
請求項２乃至１６のいずれか１項に記載の子供用安全シートで使用するための連結構成部品を備えるヘッドレスト。
【請求項１８】
本明細書で添付の図面に関連して実質的に記載した子供用安全シート。
【発明の詳細な説明】
【技術分野】
【０００１】
本発明は、子供用安全シートに関し、特に、ヘッドレストの間違った使用を防止する手段を有する子供用安全シート用の調整可能なヘッドレストに関する。
【背景技術】
【０００２】
車両の室内で子供を着座させる子供用安全シート（以下、子供用シート）は周知である。このような子供用シートには多くの形態があるが、一般的に、車両シート上に載置するシートベースと、前向きの子供用シートの場合には車両シートの背もたれに寄り掛かる背もたれと、ヘッドレストと、を備えている。
【０００３】
公知の子供用シートは、車両の室内で子供を着座さるためのハーネスを備えている。このようなハーネスは、一般的に、バックルによってクロッチストラップに接続される１対のショルダストラップを備え、子供用シート内にグループ１の子供（乳幼児）を着座させるのに適している。このタイプの子供用シートには、調整可能なヘッドレストを設けることができ、これによってヘッドレストの垂直方向の限定された範囲での調整が可能になり、着座する子供を無理な体勢をとることなく支持することができる。
【０００４】
一方、子供をハーネスによって拘束しない子供用シートも公知である。この場合は、子供は車両の３点シートベルトを用いて拘束される。このような子供用シートは、グループ２又はグループ３の子供（幼児、年少者）に適しており、垂直方向に調整可能なヘッドレストにより、着座する子供の頭部を支持することができる。一般的に、グループ２又はグループ３の子供の場合は、ヘッドレストとシートベースとの間の距離は、グループ１の子供が子供用シートを占有する場合より大きくなる。
【０００５】
また、拘束される子供の体の大きさに応じて、ハーネスを使用するか、あるいは車両の３点シートベルトを使用することによって、子供を拘束することができるように構成された子供用シートも公知である。このような構成は、単一の子供用シートを子供の成長に応じて使用することが可能になり、成長するにつれてシートを交換しなければならない不便さ及び費用が無くなるので、有利である。子供がグループ１の大きさであるときには、ハーネスを使用して子供を拘束する。子供が成長すると、ハーネスを子供用シートから取り外し、代わりに車両の３点シートベルトを使用して子供を拘束する。
【０００６】
上述のような構成では、ヘッドレストは、全てのグループの子供を快適に支持できるように、より広範囲の垂直方向の調整を可能にすることが要求される。このような構成の公知の子供用シートでは、ヘッドレストが特定の子供には不適切な位置で使用される危険性がある。例えば、実際にはグループ１の子供（乳幼児）がシートを使用する場合、グループ２又はグループ３の着座者（幼児）に適した位置になっていると、ヘッドレストはシートベースから離れて位置することになる。このような誤用の状態では、ヘッドレストは子供に最大レベルの快適さを与えられず、より重大なことには、ヘッドレストは子供の頭を安全かつ適切に支持しないことになる。
【発明の開示】
【発明が解決しようとする課題】
【０００７】
本発明は、公知の構成の上述のような問題を解消しようとすることを目的とする。
【課題を解決するための手段】
【０００８】
本発明は、  背もたれと；前記背もたれに対して移動可能なヘッドレストと；着座者を拘束する着脱自在のハーネスと；を備える子供用安全シートであって、前記ハーネスを取り付けたときは、前記ヘッドレストが前記背もたれに対して第１の範囲で移動可能となり、前記ハーネスが取り外したときは、前記ヘッドレストが前記背もたれに対して第２の範囲で移動可能となるように、前記ヘッドレストを前記背もたれに係合させたことを特徴とする。
【０００９】
前記ヘッドレスト及び前記背もたれを連結するための連結構成部品をさらに備え、該連結構成部品が、前記ヘッドレスト及び前記背もたれの両方に対して移動可能であると好ましい。
【００１０】
前記第１の範囲では、前記ヘッドレストの移動が前記連結構成部品の移動に依存し、前記第２の範囲では、前記ヘッドレストの移動が前記連結構成部品の移動に依存しないようにすると好ましい。また、前記連結構成部品及び前記ヘッドレストに、前記ハーネスのストラップを装着する、スロットを設けると好ましい。
【００１１】
前記第１の範囲においては、前記連結構成部品の前記スロットと前記ヘッドレストの前記スロットとが整列して前記ハーネスが前記シートに装着可能となり、前記第２の範囲においては、前記連結構成部品の前記スロットと前記ヘッドレストの前記スロットとが整列せず、前記ハーネスが前記シートに装着不能となるようにすると好ましい。また、前記背もたれが、前記連結構成部品を装着するための、空隙を備えると好ましい。
【００１２】
前記連結構成部品を前記背もたれに対して複数の位置に設定できる第１の手段を備えると好まく、この第１の手段が、前記背もたれに設けた、垂直方向に整列した、複数のノッチと、前記連結構成部品に装着した、前記ノッチに係合する、戻り止めと、からなると好ましい。
【００１３】
前記戻り止めを押圧して前記背もたれと前記ノッチを係合させる弾性手段を設けると好ましい。そして、前記弾性手段がバネであると好ましい。
【００１４】
前記ヘッドレストの、前記連結構成部品に対する、複数の垂直方向位置を設定できる第２の手段を備えると好ましい。
【００１５】
前記第２の手段が、前記連結構成部品に設けた、垂直方向に整列した、複数のノッチと、前記ヘッドレストに設けた、前記ノッチと係合する、弾性部材とからなると好ましく、このヘッドレストに設けた前記弾性部材が、前記連結構成部品の前記ノッチと係合する、少なくとも１つの突起を備えると好ましい。
【００１６】
前記弾性部材を前記ノッチと係合させるために、前記弾性部材を押圧する作動手段を設けると好ましく、この作動手段が、前記ヘッドレストの一部を形成するレバーであると好ましい。
【００１７】
前記レバーには操作用のハンドルを備え、該ハンドルを前記ヘッドレストに摺動自在に配置し、前記ハンドルの操作により、前記レバーが前記ヘッドレストの前記弾性部材を押圧して偏倚させて、前記弾性部材を前記連結構成部品の前記ノッチと係合させ、また、前記レバーが前記ヘッドレストの前記弾性部材から離れると、前記ヘッドレストと前記連結構成部品との相対的移動が可能となるようにすると好ましい。
【発明の効果】
【００１８】
本発明によれば、子供用安全シートにハーネスを装着すると、同シートの背もたれに対してヘッドレストの位置が特定されてグループ１の子供（乳幼児）以外の使用ができなくなり、また、ハーネスを取り外さないとグループ２又はグループ３の子供（幼児、年少者）が使用することができないので、子供用安全シートの誤用を未然に防止することができる。
【発明を実施するための最良の形態】
【００１９】
図１に示すように、子供用安全シート（以下、子供用シート）は、シートベース２及び背もたれ３を備えている。子供用シート１はさらに、背もたれ３に対して垂直方向に移動して、該背もたれ３との間の距離を調整することができるヘッドレスト４を備えている。使用状態では、シートベース２は、車両シートに載置し、背もたれ３は、子供が車内で前方を向くように、車両シートの背もたれに接した状態で配置される。
【００２０】
図２乃至図４により、ヘッドレスト４の上述の垂直方向の調整を以下の２つの範囲で達成できることを説明する。
第一の範囲は、ヘッドレスト４と係合し、かつ、それ自体がヘッドレスト４と一体に背もたれ３に対して垂直方向に移動可能な、カートリッジ５（連結構成部品）により達成される。
第二の範囲は、ヘッドレスト４をカートリッジ５から分離して、ヘッドレスト４と背もたれ３の距離をより長くすることで達成される。
【００２１】
図５は、背もたれ３の前部７と後部８を示している。前部７は、後部８を示すために略垂直の破断線に沿って切り取られた状態で示されている。空隙６はカートリッジ５を取り付けるための溝であり、このカートリッジ５は、以下に述べる方法で、空隙６内で背もたれ３に対して垂直方向に移動することができる。背もたれ３には、さらに、中心に設けたスロット９、及び、一対のスロット１０、１１がスロット９を挟んで形成されている。図３及び４に示されるように、背もたれ３の後部８には、垂直方向に整列しかつスロット１０、１１に隣接して背もたれ３の外縁に向かって配された、２組の平行な複数のノッチ１２、１３（第１の手段）が設けられている。
【００２２】
図６に示されるように、カートリッジ５は、グループ１の子供（乳幼児）をハーネスに着座させハーネスショルダストラップを子供用シート１に取り付けることができるように、アパーチャ１４、１５が形成されている。このカートリッジ５は、背もたれ３の中心アパーチャ９を通して後方（後部８から突出する方向）に延びる枢支点１６を有する。この枢支点１６は、図７及び図８に示す戻り止め１７（第１の手段）の枢軸となる。この戻り止め１７は、ノッチ１２、１３に嵌入可能な突起１８をその遠端の各々に有し、これによって、（一体となった）戻り止め１７及びカートリッジ５を、背もたれ３に対して、所望のノッチ位置に設定することができる。より具体的には、戻り止め１７は、枢支点１６近傍に配置された弾性ばね（図示せず）によって押圧されてノッチ１２、１３と嵌入する。戻り止め１７はさらに、ハーネスショルダストラップを通すことのできる開口１９、２０を備えている。これら開口１９、２０は、カートリッジアパーチャ１４、１５、及び背もたれ３の２つのスロット１０、１１と整列し、これによって、カートリッジ５が所望のノッチ位置に配置されているときに、ハーネスショルダストラップ（ハーネス）を子供用シート１に取り付けることが可能になる。
【００２３】
再び図２乃至図４を参照すると、ヘッドレスト４は、シート１に着座する子供の頭部を支持する頭支持部２１と、該ヘッドレスト４が背もたれ３に対して正しく位置付けられるように、背もたれ３及びカートリッジ５の双方に亘り係合するステム２２を備えている。このステム２２には、ヘッドレスト４がカートリッジ５に対して最下方位置となるときに、カートリッジ５のアパーチャ１４、１５と整列するアパーチャ２３、２４が形成されている。
【００２４】
グループ１の子供（乳幼児）を拘束するのに適したハーネスショルダストラップ（ハーネス）は、カートリッジ５のアパーチャ１４、１５及びヘッドレスト４のアパーチャ２３、２４が整列しているときにのみ、子供用シート１に取り付けることができる。したがって、上述した機構は、グループ１の子供を拘束しようとするときに、ヘッドレスト４はカートリッジ５と一体となり、ヘッドレスト４の位置はカートリッジ５の位置を決めるノッチ位置で決定される。これによって、背もたれ３に対するヘッドレスト４の垂直方向の調整が制限（第１の範囲）され、グループ１の子供のみが使用できるので、子供用シート１の誤用を未然に防止することができる。
【００２５】
図９に示されるように、ヘッドレスト４には、レバー２６（図１０；作動手段）が嵌入する凹部２５が形成されている。このレバー２６により、ヘッドレスト４をカートリッジ５から離脱させることができる。より具体的には、凹部２５の下部に、ステム２２の側部を切り欠いて形成した（片持ち梁状の）部材２７、２８（第２の手段）が若干内側（ステム２２の中心軸方向）に傾斜した状態（自然位置）で設定され、かつ、部材２７、２８の外側面先端部分に突起２９が設けられている。
【００２６】
レバー２６はその下端に、該レバー２６がヘッドレスト４の凹部２５内にあるときに上記部材２７、２８の上端部近傍に対向する、突起３０、３１を有し、これら突起によって部材２７、２８が外側に押圧され、突起２９が、図１１Ａに示すように、ステム２２の側面から突出する。
レバー２６はその上端にハンドル３２を備え、このハンドル３２により、レバー２６を凹部２５内で上下方向に移動させることができる。
操作者がハンドル３２から手を離すと、弾性ばね（図示せず）の付勢力によりレバー２６が下方位置に戻る。
一方、レバー２６が操作者によって引き出されると、突起３０、３１が上方に移動し、部材２７、２８との係合が解かれる。したがって、部材２７、２８は、ステム２２の側面に対してわずかに内向きに傾斜した自然位置に戻る。なお、この位置で突起２９は、図１１Ｂに示すようにステム２２の側面から突出することはない。
【００２７】
レバー２６が操作されず、かつ、突起２９がステム２２の外側面から突出するときは、突起２９は、図６に示されるカートリッジ５の内面ノッチ３３（第２の手段）と係合し、ヘッドレスト４をカートリッジ５に対して所望のノッチ位置に設定することができる。
【００２８】
カートリッジ５のアパーチャ１４、１５及びヘッドレスト４のステム２２のアパーチャ２３、２４を整列させてハーネスショルダストラップを通すことにより、ハーネスが子供用シート１に設置されると、ヘッドレスト４をカートリッジ５に対して移動させることができなくなり、両者一体で移動する状態となる。これによって、背もたれ３に対するヘッドレスト４の垂直方向の移動範囲が制限され（第１の範囲；ノッチ１２、１３の位置）、子供用シート１はグループ１の子供のみが使用できる状態となる。
一方、ハーネスを取り外して、カートリッジ５のアパーチャ１４、１５及びヘッドレスト４のステム２２のアパーチャ２３、２４との整列状態を解消すると、ヘッドレスト４はカートリッジ５に対して移動可能となる。これによって、背もたれ３に対するヘッドレスト４の垂直方向の移動範囲は上記第１の範囲とは別の範囲に設定でき（第２の範囲）、子供用シート１はグループ２又はグループ３の子供に対して使用可能となる。
上述のいずれの状態でも、子供用シート１の誤用を未然に防止することができる。
【図面の簡単な説明】
【００２９】
【図１】子供用シートの斜視図である。
【図２】本発明の実施形態に係る子供用シートのシートクッションが取り外された状態を示す斜視図である。
【図３】本発明の実施形態に係る子供用シートの背面図である。
【図４】本発明の実施形態に係る子供用シートの後部の斜視図である。
【図５】本発明の実施形態に係る子供用シートの後部の部分の拡大切欠き図である。
【図６】本発明の実施形態に係る子供用シートのカートリッジの斜視図である。
【図７】本発明の実施形態に係る子供用シートの戻り止め（後向き）の斜視図である。
【図８】本発明の実施形態に係る子供用シートの戻り止め（前向き）の斜視図である。
【図９】本発明の実施形態に係る子供用シートのヘッドレストの後部の斜視図を示す。
【図１０】本発明の実施形態に係るヘッドレストのレバーの斜視図である。
【図１１Ａ】図１０のレバーの作動を模式的に示す図である。
【図１１Ｂ】図１０のレバーの作動を模式的に示す図である。
【符号の説明】
【００３０】
１  子供用安全シートシート
３  背もたれ
４  ヘッドレスト
【図１】
2009502595.tif 000003
【図２】
2009502595.tif 000004
【図３】
2009502595.tif 000005
【図４】
2009502595.tif 000006
【図５】
2009502595.tif 000007
【図６】
2009502595.tif 000008
【図７】
2009502595.tif 000009
【図８】
2009502595.tif 000010
【図９】
2009502595.tif 000011
【図１０】
2009502595.tif 000012
【図１１Ａ】
2009502595.tif 000013
【図１１Ｂ】
2009502595.tif 000014
【国際調査報告】
2009502595.tif 000015
2009502595.tif 000016